【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
ＭＲ装置の検査ボリューム内に配される対象物のＭＲイメージング方法であって、
前記対象物を第１の撮像シーケンスに曝して、第１のエコー時間に、それぞれ異なって位相エンコードされる複数の第１のＭＲエコー信号を生成するステップであって、前記第１のＭＲエコー信号が本質的に同位相であるようにされる、ステップと、
第１の信号受信帯域幅を使用して前記第１のＭＲエコー信号を取得するステップであって、前記第１のＭＲエコー信号は、第１の勾配強度を有する読み出し磁界勾配を使用して取得される、ステップと、
前記対象物を第２の撮像シーケンスに曝して、第２のエコー時間に、それぞれ異なって位相エンコードされる第２のＭＲエコー信号を生成するステップであって、水プロトンから生じるＭＲ信号及び脂肪プロトンから生じるＭＲ信号からの前記第２のＭＲエコー信号への寄与が少なくとも部分的に異位相であるようにされる、ステップと、
前記第１の信号受信帯域幅よりも大きい第２の信号受信帯域幅を用いて前記第２のＭＲエコー信号を取得するステップであって、前記第２のＭＲエコー信号は、前記第１の勾配強度と異なる第２の勾配強度を有する読み出し磁界勾配を用いて取得され、前記第１の撮像シーケンスの異なる位相エンコードの数が、前記第２の撮像シーケンスの異なる位相エンコードの数より少ない、ステップと、
前記第１及び前記第２のＭＲエコー信号からＭＲ画像を再構成するステップであって、それにより水プロトン及び脂肪プロトンからの信号寄与が分離される、ステップと、
を有する方法。
【請求項２】
前記第１及び前記第２の撮像シーケンスの位相エンコードの数は、前記第１のＭＲエコー信号から再構成されるＭＲ画像の信号対雑音比が、前記第２のＭＲエコー信号から再構成されるＭＲ画像の前記信号対雑音比に実質的に等しくなるように選択される、請求項１に記載の方法。
【請求項３】
前記第１及び前記第２の撮像シーケンスが、ターボスピンエコーシーケンスであり、前記第１及び前記第２の撮像シーケンスの各ショットが、前記対象物内に磁気共鳴を励起するための１つのＲＦ励起パルスと、磁気共鳴をリフォーカスするための２又はそれより多くのリフォーカスＲＦパルスと、を含み、各ショットによって、それぞれ異なって位相エンコードされる複数のＭＲエコー信号のトレインが生成される、請求項１又は２に記載の方法。
【請求項４】
前記対象物が、前記第１及び前記第２の撮像シーケンスの複数のショットに曝され、前記第１の撮像シーケンスのショット数が、前記第２の撮像シーケンスのショット数より少ない、請求項３に記載の方法。
【請求項５】
前記個々のショットの前記位相エンコードのスキームは、前記第１及び前記第２の撮像シーケンスの各々におけるショットによってインタリーブされる態様でｋ空間がサンプリングされるよう、選択される、請求項４に記載の方法。
【請求項６】
前記第１及び前記第２の撮像シーケンスのエコー順序は、ｋ空間の中心位置から取得される前記第１及び前記第２のＭＲエコー信号が同一の又は隣接するエコーインデックス番号を有するように選択され、前記エコーインデックス番号は、前記第１又は前記第２の撮像シーケンスの各ショットによって生成されるエコー信号のトレインにおける各ＭＲエコー信号の位置を示す、請求項５に記載の方法。
【請求項７】
少なくとも前記第１のＭＲエコー信号が、ｋ空間のサブサンプリングにより取得される、請求項１乃至４のいずれか１項に記載の方法。
【請求項８】
少なくとも前記第１のＭＲエコー信号が、別々の空間感度プロファイルを有する複数のＲＦコイルを介してパラレルに取得され、前記ＭＲ画像が、ＳＥＮＳＥ又はＳＭＡＳＨようなパラレルイメージング再構成アルゴリズムを使用して再構成される、請求項７に記載の方法。
【請求項９】
前記ＭＲ画像は、圧縮センシング再構成アルゴリズムを使用して再構成される、請求項７に記載の方法。
【請求項１０】
前記第１の撮像シーケンスの前記位相エンコードのスキームは、部分フーリエ技法を使用してｋ空間が不完全にサンプリングされるように選択される、請求項１乃至９のいずれか１項に記載の方法。
【請求項１１】
請求項１乃至１０のいずれか１項に記載の方法を実行するＭＲ装置であって、前記ＭＲ装置は、検査ボリューム内に均一な定常磁場を生成する少なくとも１つの主磁石コイルと、前記検査ボリューム内の個々の異なる空間方向に切り替えられる磁場勾配を生成する複数の勾配コイルと、前記検査ボリューム内にＲＦパルスを生成し及び／又は前記検査ボリューム内に位置する対象物からＭＲ信号を受信する少なくとも１つのＲＦコイルと、時間的に連続する前記ＲＦパルス及び前記切り替えられる磁場勾配を制御する制御ユニットと、前記受信されるＭＲ信号からＭＲ画像を再構成する再構成ユニットと、を有し、前記ＭＲ装置は、
前記対象物を第１の撮像シーケンスに曝して、第１のエコー時間に、それぞれ異なって位相エンコードされる複数の第１のＭＲエコー信号を生成するステップであって、水プロトンから生じるＭＲ信号及び脂肪プロトンから生じるＭＲ信号の前記第１のＭＲエコー信号への寄与が本質的に同位相であるようにされる、ステップと、
第１の信号受信帯域幅を使用して前記第１のＭＲエコー信号を取得するステップであって、前記第１のＭＲエコー信号が、第１の勾配強度を有する読み出し磁界勾配を使用して取得される、ステップと、
前記対象物を第２の撮像シーケンスに曝して、第２のエコー時間に、それぞれ異なって位相エンコードされる複数の第２のＭＲエコー信号を生成するステップであって、水プロトンから生じるＭＲ信号及び脂肪プロトンから生じるＭＲ信号からの前記第２のＭＲエコー信号への寄与が少なくとも部分的に異位相であるようにされる、ステップと、
前記第１の信号受信帯域幅よりも大きい第２の信号受信帯域幅を用いて前記第２のＭＲエコー信号を取得するステップであって、前記第２のＭＲエコー信号は、前記第１の勾配強度とは異なる第２の勾配強度を有する読み出し磁界勾配を使用して取得され、前記第１の撮像シーケンスの異なる位相エンコードの数が、第２の撮像シーケンスの異なる位相エンコードの数より少ない、ステップと、
前記第１及び前記第２のＭＲエコー信号からＭＲ画像を再構成するステップであって、それによって水プロトン及び脂肪プロトンからのそれぞれの信号寄与が分離される、ステップと、を有する方法。
【請求項１２】
ＭＲ装置上で実行されるコンピュータプログラムであって、
第１の撮像シーケンスを実施して、第１のエコー時間に、それぞれ異なって位相エンコードされる複数の第１のＭＲエコー信号を生成するステップであって、水プロトンから生じるＭＲ信号及び脂肪プロトンから生じるＭＲ信号からの前記第１のＭＲエコー信号への寄与が、本質的に同位相であるようにされる、ステップと、
第１の信号受信帯域幅を使用して第１のＭＲエコー信号を取得するステップであって、前記第１のＭＲエコー信号は、第１の勾配強度を有する読み出し磁界勾配を使用して取得される、ステップと、
第２の撮像シーケンスを実施して、第２のエコー時間に、それぞれ異なって位相エンコードされる複数の第２のＭＲエコー信号を生成するステップであって、水プロトンから生じるＭＲ信号及び脂肪プロトンから生じるＭＲ信号からの前記第２のＭＲエコー信号への寄与が、少なくとも部分的に異位相であるようにされる、ステップと、
前記第１の受信帯域幅よりも大きい第２の信号受信帯域幅を使用して前記第２のＭＲエコー信号を取得するステップであって、前記第２のＭＲエコー信号は、前記第１の勾配強度とは異なる第２の勾配強度を有する読み出し磁界勾配を使用して取得され、前記第１の撮像シーケンスの異なる位相エンコードの数が、前記第２の撮像シーケンスの異なる位相エンコードの数より少ない、ステップと、
前記第１及び前記第２のＭＲエコー信号からＭＲ画像を再構成するステップであって、それにより水プロトン及び脂肪プロトンからの信号寄与が分離される、ステップと、
を有する方法。